(57)【要約】【課題】所定のサイズの用紙を綴じることができる多穴式の綴じ具に所定のサイズの用紙よりも小さいサイズの用紙を快適に綴じることができる綴じ具を提供する。【解決手段】複数のリング５５は、開閉機構５６により開閉可能に形成される。複数のリング５５は、第一の用紙であるＡ４サイズの用紙４が有する綴じ孔１４に合わせて配置されるとともに、複数のリング５５のうち、第一の用紙であるＡ４サイズの用紙４よりも小さく形成されて綴じ孔１５を有する第二の用紙であるＢ５サイズの用紙５の上端部直近のリング５５が間欠している。そして、第二の用紙であるＢ５サイズの用紙５の綴じ位置をガイドする綴じ位置ガイド３０が設けられている。【選択図】  図１
2018024137.tif 000002
【特許請求の範囲】
【請求項１】
開閉可能に形成される複数のリングと、
前記複数のリングを開閉させる開閉機構と、
を有し、
前記複数のリングは、第一の用紙が有する綴じ孔に合わせて配置されるとともに、前記複数のリングのうち、前記第一の用紙よりも小さく形成されて綴じ孔を有する第二の用紙を綴じる際の前記第二の用紙の端部直近の前記リングが間欠していることを特徴とする綴じ具。
【請求項２】
前記第二の用紙の綴じ位置をガイドする綴じ位置ガイドを備えることを特徴とする請求項１に記載の綴じ具。
【請求項３】
前記第一の用紙の幅よりも広い幅の表表紙又は裏表紙を備え、
前記綴じ位置ガイドは、前記表表紙又は前記裏表紙の幅方向に亘って表示されるガイド線であることを特徴とする請求項２に記載の綴じ具。
【請求項４】
前記綴じ位置ガイドは、幅方向を前記第一の用紙の幅以下且つ前記第二の用紙の幅以上として綴じ孔を備えるシート状物品であることを特徴とする請求項２又は請求項３に記載の綴じ具。
【請求項５】
前記綴じ位置ガイドは、前記複数のリングを支持するベース部材に設けられることを特徴とする請求項２乃至請求項４の何れか記載の綴じ具。
【発明の詳細な説明】
【技術分野】
【０００１】
本発明は、多数の綴じ孔を有する紙類を綴じるための綴じ具に関する。
【背景技術】
【０００２】
従来から、多数の綴じ孔が用紙の端に形成された、いわゆるルーズリーフを綴じる綴じ具が開示されている。例えば、特許文献１に開示される用紙綴じ具は、用紙の綴じ孔に対応した複数のリングを備える。このリングは、一部開放されるとともに、この一部開放されたリングの部分を開閉する摺動片が設けられている。用紙を綴じる際には、一部開放されたリングの部分を介してリングが綴じ孔に挿入され、摺動片により一部開放されたリングの部分が閉じられて、用紙がこの綴じ具に綴じられる。
【先行技術文献】
【特許文献】
【０００３】
【特許文献１】特開２００５−５９５６３号公報
【発明の概要】
【発明が解決しようとする課題】
【０００４】
特許文献１に開示されるような従来の綴じ具は所定のサイズの用紙のみを綴じるように形成されているが、使用者によっては、所定のサイズの用紙と共に所定のサイズの用紙よりも小さいサイズの用紙も綴じたい場合もある。ここで、Ａ４サイズの用紙の場合は、「ＪＩＳ  Ｚ  ８３０３  帳票の設計基準」に規定される寸法で綴じ孔を形成すると、綴じ孔数は３０とされる。同様に、Ｂ５サイズの用紙は、綴じ孔数が２６とされる。このとき、綴じ孔の配置ピッチは、Ａ４サイズ及びＢ５サイズ共に同じである。従って、Ａ４サイズの用紙を綴じることができる綴じ具は、リングの数が３０あるので、Ｂ５サイズの用紙も綴じることができる。
【０００５】
しかしながら、Ａ４サイズの用紙を綴じる綴じ具にＢ５サイズの用紙を綴じると、Ｂ５サイズの用紙の最外端の孔から用紙の端までの長さが綴じ孔のピッチよりも長いため、Ｂ５サイズの用紙の端部が、Ｂ５サイズの用紙の端部直近のリングと干渉して、Ｂ５サイズの用紙の端部が折れ曲がる等することがある。
【０００６】
本発明の目的は、所定のサイズの用紙を綴じることができる多穴式の綴じ具に所定のサイズの用紙よりも小さいサイズの用紙を快適に綴じることができる綴じ具を提供する。
【課題を解決するための手段】
【０００７】
本発明に係る綴じ具は、開閉可能に形成される複数のリングと、前記複数のリングを開閉させる開閉機構と、を有し、前記複数のリングは、第一の用紙が有する綴じ孔に合わせて配置されるとともに、前記複数のリングのうち、前記第一の用紙よりも小さく形成されて綴じ孔を有する第二の用紙を綴じる際の前記第二の用紙の端部直近の前記リングが間欠している。
【発明の効果】
【０００８】
本発明によれば、所定のサイズの用紙を綴じることができる多穴式の綴じ具に所定のサイズの用紙よりも小さいサイズの用紙を快適に綴じることができる綴じ具を提供することができる。
【図面の簡単な説明】
【０００９】
【図１】本発明の第１実施形態に係る綴じ具の使用状態を示す平面図である。
【図２】本発明の第２実施形態に係る綴じ具の使用状態を示す平面図である。
【図３】本発明の第３実施形態に係る綴じ具の使用状態を示す平面図である。
【発明を実施するための形態】
【００１０】
以下、図に基づいて本発明の実施形態を説明する。図１は本発明の第１実施形態に係る多穴式の綴じ具５０を備えるファイル１０が開いた状態の内側面を示す平面図である。ファイル１０は、綴じ具５０に表表紙１１及び裏表紙１２が備えられることで形成される。
【００１１】
綴じ具５０には、複数のリング５５が設けられている。複数のリング５５は、綴じ具５０の長手方向に沿って、一部を除いて等間隔で配置される。ここで、第一の用紙であるＡ４サイズの用紙４には、「ＪＩＳ  Ｚ  ８３０３  帳票の設計基準」に記載される寸法に合わせて３０個の綴じ孔１４が開けられる。従って、複数のリング５５は、用紙４の綴じ孔１４に合わせた配置ピッチで配置される。ただし、上から４番目のリング５５に相当する位置（図１における位置５５−４）は、リング５５が間欠している。従って、本実施形態においては、リング５５は、全部で２９個が配置されている。
【００１２】
綴じ具５０は、上下方向に長い長尺板状に形成されて内部空間が形成されるベース部材５１を備える。ベース部材５１の右端近傍からは、略１／４リング状の固定リング５２が、ベース部材５１の長手方向に沿って複数設けられている。一方、固定リング５２に対向するベース部材５１上の位置には、回動リング５３が配置されている。回動リング５３は、略１／４リング状に形成される。固定リング５２の端部と回動リング５３の端部が合致すると、リング５５が形成されて、綴じ孔を備える用紙を保持することができる。リング５５は、開閉機構５６により回動リング５３が回動されることにより開閉される。
【００１３】
開閉機構５６は、回動軸５３ａと、スライド部材５４と、により形成される。回動軸５３ａは、ベース部材５１の内部空間にベース部材５１の長手方向に沿った長い軸として形成される。回動軸５３ａは、両端が回動自在にベース部材５１に支持されている。回動軸５３ａは、回動リング５３の基部と接続されている。そして、スライド部材５４は、ベース部材５１の内部であって、回動軸５３ａと対向する位置に設けられる。スライド部材５４は、ベース部材５１の長手方向に沿って長尺略板状に形成される。スライド部材５４の一方端（図１における下端）に形成されるレバー５４ａは、ベース部材５１から露出している。スライド部材５４は、レバー５４ａを押し引きすることにより、ベース部材５１の長手方向に沿って移動自在とされている。
【００１４】
回動軸５３ａ及びスライド部材５４には、長手方向に沿って２箇所乃至４箇所程度に、スライド部材５４の移動に合わせて回動軸５３ａを回動させるカム構造が形成される。例えば、このカム構造は、回動軸５３ａ上にスライド部材５４に向けて突出する突起状のカムフォロアと、スライド部材５４に形成されるカム部と、により形成される。そして、レバー５４ａを引くと、カム部に倣ってカムフォロアが回動軸５３ａ周りの回転方向に移動する。すると、回動軸５３ａが回動し、回動リング５３がリング５５の開方向に回動されて、リング５５が開かれる。そして、レバー５４ａを押し込めば、リング５５を閉じることができる。
【００１５】
また、表表紙１１及び裏表紙１２には、前述のリング５５が間欠する位置と大凡合致する位置に綴じ位置ガイド３０が設けられる。綴じ位置ガイド３０は、第一の用紙であるＡ４サイズの用紙４よりも小さい第二の用紙であるＢ５サイズの用紙５を綴じる際の綴じ位置をガイドする。本実施形態における綴じ位置ガイド３０は、表表紙１１及び裏表紙１２の幅方向に亘って表示される二重線で表されたガイド線である。ここで、用紙５の綴じ孔１５のピッチは、用紙４の綴じ孔１４と同じある。用紙５の綴じ孔１５の孔数は２６個である。
【００１６】
綴じ具５０にＢ５サイズの用紙５を綴じる場合には、用紙５の上端を綴じ位置ガイド３０に合わせて綴じる。すると、綴じ具５０において、用紙５の上端部直近のリング５５（すなわち、位置５５−４）が間欠しているので、用紙５の上端がリング５５と干渉することはない。さらに、表表紙１１及び裏表紙１２は、用紙４よりも幅方向が広く形成されている。従って、用紙５よりも幅が広い用紙４が綴じられている場合でも、用紙４の外方に綴じ位置ガイド３０が見えるので、用紙５を綴じ位置ガイド３０に合わせて綴じ具５０に綴じることもできる。そして、本実施形態における用紙４，５は、下端が揃えられて綴じられる。
【００１７】
なお、綴じ位置ガイド３０であるガイド線は、表表紙１１又は裏表紙１２が不透明材料である場合にはその内側面に印刷等して形成することができる。表表紙１１又は裏表紙１２が透明な樹脂材料で形成される場合には、それぞれの外側面に印刷等して形成しても良い。また、ガイド線は、種々の形式（破線や波線等）とすることができる。また、ガイド線と共に「Ｂ５サイズ」等の文字を記載しておいても良い。この綴じ位置ガイド３０によれば、用紙４，５が左右両側に存在するように開いている場合でも用紙５の綴じ位置をガイドすることができる。そして、用紙５の綴じ位置がガイドされるので、用紙５が揃えられるように綴じることができる。
【００１８】
次に、図２に基づいて、本発明に係る綴じ具の第２実施形態を説明する。綴じ具６０は、第１実施形態における綴じ具５０に代えて、用紙４，５を綴じ具６０の長手方向（すなわち、図２の上下方向）略中央に揃うよう形成したものである。ファイル１０Ａは、綴じ具６０に表表紙１１Ａ及び裏表紙１２Ａが備えられることで形成される。なお、以下の説明においては、第１実施形態と同じ個所・部材については同じ符号を付して、その説明は省略又は簡略化する。
【００１９】
本実施形態においては、複数のリング５５は、第１実施形態と同様にＡ４サイズの用紙４の綴じ孔１４に合わせたピッチで配置される。ただし、上から２番目のリング５５（位置５５−２）及び上から２９番目のリング５５（位置５５−２９）の位置においてリング５５が間欠する。よって、リング５５の数は２８個とされている。すなわち、用紙５を略中央に綴じた場合における上端部及び下端部直近のリング５５が間欠している。よって、用紙５を綴じ具６０の長手方向略中央に綴じた場合でも、用紙５の端部とリング５５との干渉が回避されている。
【００２０】
さらに、本実施形態における綴じ位置ガイド３１は、シート状物品とされている。このシート状の綴じ位置ガイド３１は、例えば樹脂シートで形成することができる。綴じ位置ガイド３１は、幅方向を第一の用紙であるＡ４サイズの用紙４の幅以下且つ第二の用紙であるＢ５サイズの用紙５の幅以上である。本実施形態においては、綴じ位置ガイド３１の幅は、用紙４の幅と略同一である。さらに、綴じ位置ガイド３１の上下方向の高さは、用紙５と略同一とされている。そして、綴じ位置ガイド３１には、用紙４と同様に綴じ孔３１ａが開けられて綴じ具６０に綴じられる。
【００２１】
本実施形態の綴じ位置ガイド３１も、用紙５を綴じる際の綴じ位置をガイドする。すなわち、用紙５は、綴じ位置ガイド３１の上側の辺又は下側の辺に合わせて綴じることができる。この綴じ位置ガイド３１においても、用紙４，５が左右に開いている場合でも用紙５の綴じ位置をガイドすることができる。また、綴じ位置ガイド３１は、幅方向が用紙５よりも大きい用紙４と同じ幅としているので、用紙４，５の位置を素早く開けるようインデックスとしても利用することができる。
【００２２】
次に、図３に基づいて、本発明に係る綴じ具の第３実施形態を説明する。綴じ具７０は、第１実施形態における綴じ具５０に代えて、用紙４，５を綴じ具７０の上端に揃うよう形成したものである。ファイル１０Ｂは、綴じ具７０に表表紙１１Ｂ及び裏表紙１２Ｂが備えられることで形成される。なお、以下の説明においては、第１実施形態と同じ個所・部材については同じ符号を付して、その説明は省略又は簡略化する。
【００２３】
本実施形態においては、複数のリング５５は、第１実施形態と同様にＡ４サイズの用紙４の綴じ孔１４に合わせたピッチで配置される。ただし、上から２７番目のリング５５（位置５５−２７）の位置においてリング５５が間欠する。よって、リング５５の数は２９個とされている。すなわち、用紙５を上端に綴じた場合における用紙５の下端部直近のリング５５が間欠している。よって、用紙５を綴じ具７０の上側に揃えた綴じた場合でも、用紙５の端部とリング５５との干渉が回避されている。
【００２４】
さらに、本実施形態における綴じ位置ガイド３２は、複数のリング５５を支持するベース部材５１のリング５５が間欠している部位近傍に設けられる矢印マークとされている。
【００２５】
本実施形態の綴じ位置ガイド３２も、用紙５を綴じる際の綴じ位置をガイドする。すなわち、綴じ位置ガイド３２に用紙５の下端を合わせて綴じ具７０に綴じることができる。
【００２６】
以上、本発明の実施形態について説明したが、本発明は以上の実施形態によって限定されることはなく、種々の変更を加えて実施することができる。例えば、用紙５を揃えて綴じる位置は、綴じ具５０，６０，７０の上側、中央、下側に限定されることはなく、綴じ具の長手方向の範囲内で適宜選択することもできるし、リング５５が間欠している部位を適宜増やすことによって、例えば上端揃えと中央揃えを組み合わせることもできる。
【００２７】
さらに、用紙５の綴じ位置ガイド３０，３１，３２は、これらに限られず、用紙５の綴じ位置をガイドする表示や治具等であれば種々の形態を採用することができる。また、複数種類の綴じ位置ガイドを組み合わせても良い。なお、綴じ位置ガイド３０，３１，３２と用紙５を揃える位置（上端、中央、下端）の組み合わせは、上記実施形態に限定されるものではない。
【００２８】
また、上記の実施形態においては、綴じ具５０，６０，７０におけるリング５５や開閉機構５６は、公知のものである。そして、リング５５やリング５５の開閉機構５６は、他の公知の形式（例えば、金属製であって、ベース部材の両端にリングを開く押しボタンが設けられているものや、組み合わされる一方のリングを支持する部材が上端で回動自在に支持されている形式のもの）を採用することができる。
【符号の説明】
【００２９】
４          用紙                        ５          用紙
１０        ファイル                    １０Ａ      ファイル
１０Ｂ      ファイル                    １１        表表紙
１１Ａ      表表紙                      １１Ｂ      表表紙
１２        裏表紙                      １２Ａ      裏表紙
１２Ｂ      裏表紙                      １４        綴じ孔
１５        綴じ孔                      ３０        綴じ位置ガイド
３１        綴じ位置ガイド              ３１ａ      綴じ孔
３２        綴じ位置ガイド              ５０        綴じ具
５１        ベース部材                  ５２        固定リング
５３        回動リング                  ５３ａ      回動軸
５４        スライド部材                ５４ａ      レバー
５５        リング
５５−２    位置                        ５５−４    位置
５５−２７  位置                        ５５−２９  位置
５６        開閉機構
６０        綴じ具                      ７０        綴じ具
【図１】
2018024137.tif 000003
【図２】
2018024137.tif 000004
【図３】
2018024137.tif 000005